(57)【要約】      （修正有）【課題】切断後に意図しない方向へ媒体が進行してしまうことを抑止し媒体を安定して搬送する。【解決手段】用紙切断部６は、用紙Ｐが搬送される搬送路３Ｙに対し用紙Ｐの紙面に直交する厚さ方向の一方向側である上側に設けられた固定刃ユニット２８と、搬送路３Ｙに対し一方向側とは逆方向側である下側に設けられ、回転刃回転方向Ｄｒ１へ回転することにより固定刃ユニット２８の固定刃３２ｂと刃先を交差させて、搬送される用紙Ｐを切断する回転刃ユニット４２とを設け、回転刃ユニット４２は、刃先６０よりも回転刃回転方向Ｄｒ１の逆方向側である回転刃逆回転方向の外周部に凹部６２を形成する。【選択図】図１２
2020131373.tif 000002
【特許請求の範囲】
【請求項１】
媒体が搬送される搬送路に対し前記媒体の紙面に直交する厚さ方向の一方向側に設けられた固定刃と、
前記搬送路に対し前記一方向側とは逆方向側に設けられ、回転方向へ回転することにより前記固定刃と刃先を交差させて、搬送される前記媒体を切断する回転刃と
を有する媒体切断装置において、
前記回転刃は、前記刃先よりも前記回転方向の逆方向側の外周部に凹部が形成されている
媒体切断装置。
【請求項２】
前記凹部は、前記刃先に対し、前記回転方向の逆方向である逆回転方向側に隣接して形成されている
請求項１に記載の媒体切断装置。
【請求項３】
前記凹部は、前記回転刃の回転軸側において、前記回転軸を中心とする半径方向の外周側が開口する角部が形成され、
前記凹部における前記角部の頂点から前記刃先までの長さは、切断される際に前記回転刃の前記刃先と前記固定刃とにより堰き止められた前記媒体が、堰き止められていなければ進行する距離である媒体撓み量よりも短い
請求項１に記載の媒体切断装置。
【請求項４】
前記媒体撓み量は、前記媒体の搬送速度をＳｔ、前記媒体の切断時に前記固定刃と前記回転刃とが接触する時間である刃接触時間をＴｂとしたとき、Ｓｔ×Ｔｂにより求められる
請求項３に記載の媒体切断装置。
【請求項５】
前記刃接触時間は、前記刃先の厚さをＴｅ、前記回転軸から前記刃先までの長さをＤ４、前記回転刃の回転速度をＲｓとしたとき、Ｔｅ／（Ｄ４×Ｒｓ）により求められる
請求項４に記載の媒体切断装置。
【請求項６】
前記凹部における前記回転方向の逆方向側の端部に形成された凹部逆回転方向側外角部は、前記回転刃が回転した際の刃先回転軌跡の内側に収まる
請求項１に記載の媒体切断装置。
【請求項７】
前記回転刃の回転軸から前記刃先までの長さをＤ４、前記回転軸から前記凹部逆回転方向側外角部までの長さをＤ３としたとき、Ｄ３＜Ｄ４である
請求項６に記載の媒体切断装置。
【請求項８】
前記凹部は、前記回転刃の回転軸側において、前記回転軸を中心とする半径方向の外周側が開口する角部が形成され、
前記角部の角度は、９０［°］以下である
請求項１に記載の媒体切断装置。
【請求項９】
前記凹部は、前記厚さ方向と前記媒体が搬送される搬送方向とに直交する搬送幅方向の一端側から他端側までに亘って同一形状である
請求項１に記載の媒体切断装置。
【請求項１０】
前記凹部は、前記厚さ方向と前記媒体が搬送される搬送方向とに直交する搬送幅方向における、前記媒体の切断が開始される切断開始位置側に少なくとも設けられる
請求項１に記載の媒体切断装置。
【請求項１１】
前記凹部は、前記搬送路を搬送される、互いに異なる前記搬送幅方向の幅を有する複数種類の前記媒体における前記切断開始位置側の端部を含む範囲に亘って設けられる
請求項１０に記載の媒体切断装置。
【請求項１２】
前記凹部は、前記搬送幅方向に沿って連続的に形成される
請求項１０に記載の媒体切断装置。
【請求項１３】
前記凹部は、前記回転方向に沿って複数個形成されている
請求項１に記載の媒体切断装置。
【請求項１４】
前記回転刃は、前記刃先よりも前記回転方向の逆方向側の外周部において外周方向へ突出する突起部が形成されており、前記刃先と前記突起部との間に、前記凹部が形成されている
請求項１に記載の媒体切断装置。
【請求項１５】
請求項１乃至請求項１４の何れかに記載の媒体切断装置
を有する画像形成装置。
【発明の詳細な説明】
【技術分野】
【０００１】
本発明は媒体切断装置及び画像形成装置に関し、例えば、電子写真方式のプリンタや複写機等の画像形成装置に適用して好適なものである。
【背景技術】
【０００２】
従来、長尺のシート材が搬送される搬送路の上側に位置する固定刃と、該搬送路の下側に位置し回転する回転刃との刃先を交差させて、該シート材を搬送しつつ切断する媒体切断装置がある（例えば、特許文献１参照）。
【先行技術文献】
【特許文献】
【０００３】
【特許文献１】特開２０１０−７６０９０号公報
【発明の概要】
【発明が解決しようとする課題】
【０００４】
このような媒体切断装置においては、図１７に示す用紙切断部１００６がある。用紙切断部１００６は、搬送路３Ｙの上側に位置する固定刃３２ｂと、搬送路３Ｙの下側に位置する回転刃１０４６ｂとを有し、搬送ローラ対５ｂにより用紙Ｐを搬送しつつ回転刃１０４６ｂを回転刃回転方向Ｄｒ１へ回転させて、用紙Ｐを切断する。用紙切断部１００６においては、特に、厚さが薄い用紙Ｐを搬送しつつ切断する際に、用紙切断中に切断箇所ＣＰよりも用紙Ｐの搬送方向上流側の部分における搬送方向下流側端部が下方向を向くように上側へ撓んだ場合、用紙切断終了時に用紙Ｐの撓みが解放されると、図１８に示すように、回転刃１０４６ｂよりも下側へ用紙Ｐの先端が潜り込み、用紙が詰まるジャムが発生する可能性があった。
【０００５】
本発明は以上の点を考慮してなされたもので、切断後に意図しない方向へ媒体が進行してしまうことを抑止し媒体を安定して搬送し得る媒体切断装置及び画像形成装置を提案しようとするものである。
【課題を解決するための手段】
【０００６】
かかる課題を解決するため本発明の媒体切断装置においては、媒体が搬送される搬送路に対し媒体の紙面に直交する厚さ方向の一方向側に設けられた固定刃と、搬送路に対し一方向側とは逆方向側に設けられ、回転方向へ回転することにより固定刃と刃先を交差させて、搬送される媒体を切断する回転刃とを有する媒体切断装置において、回転刃は、刃先よりも回転方向の逆方向側の外周部に凹部が形成されているようにした。
【０００７】
また本発明の画像形成装置においては、上述した媒体切断装置を設けるようにした。
【０００８】
本発明は、媒体の切断後に、切断箇所よりも搬送方向の上流側に位置する媒体における搬送方向の下流側の端部が可動刃側へ進行した場合、該端部を凹部に入り込ませて引っ掛けて固定刃側へ進行させることができる。
【発明の効果】
【０００９】
本発明によれば、媒体の切断後に、切断箇所よりも搬送方向の上流側に位置する媒体における搬送方向の下流側の端部が可動刃側へ進行した場合、該端部を凹部に入り込ませて引っ掛けて固定刃側へ進行させることができる。かくして本発明は、切断後に意図しない方向へ媒体が進行してしまうことを抑止し媒体を安定して搬送し得る媒体切断装置及び画像形成装置を実現できる。
【図面の簡単な説明】
【００１０】
【図１】画像形成装置の外部構成を示す斜視図である。
【図２】画像形成装置の内部構成を示す右側面図である。
【図３】カバークローズ状態の固定刃ユニット及び回転刃ユニットの構成を示す平面図である。
【図４】カバーオープン状態の固定刃ユニット及び回転刃ユニットの構成（１）を示す斜視図である。
【図５】カバーオープン状態の固定刃ユニット及び回転刃ユニットの構成（２）を示す斜視図である。
【図６】回転刃部の構成を示す斜視図である。
【図７】用紙切断部の構成を示す図３におけるＡ−Ａ矢視断面図である。
【図８】第１の実施の形態による回転刃の構成を示す図３におけるＡ−Ａ矢視断面図である。
【図９】用紙撓み量及び刃先回転軌跡を示す図３におけるＡ−Ａ矢視断面図の拡大図である。
【図１０】凹部底角部角度が９０［°］を超える場合に次用紙が与える力を示す図３におけるＡ−Ａ矢視断面図の拡大図である。
【図１１】凹部底角部角度が９０［°］以下の場合に次用紙が与える力を示す図３におけるＡ−Ａ矢視断面図の拡大図である。
【図１２】用紙が搬送される様子（１）を示す図３におけるＡ−Ａ矢視断面図である。
【図１３】用紙が搬送される様子（２）を示す図３におけるＡ−Ａ矢視断面図である。
【図１４】用紙が搬送される様子（３）を示す図３におけるＡ−Ａ矢視断面図である。
【図１５】第２の実施の形態による回転刃の構成を示す横断面図である。
【図１６】第３の実施の形態による回転刃の構成を示す横断面図である。
【図１７】従来の用紙切断部において用紙が搬送される様子（１）を示す横断面図の拡大図である。
【図１８】従来の用紙切断部において用紙が搬送される様子（２）を示す横断面図の拡大図である。
【発明を実施するための形態】
【００１１】
以下、発明を実施するための形態（以下実施の形態とする）について、図面を用いて説明する。
【００１２】
［１．第１の実施の形態］
［１−１．画像形成装置の構成］
図１及び図２に示すように画像形成装置１は、電子写真方式のプリンタとして構成されており、例えば長尺の用紙に対し、所望のカラー画像を印刷する。画像形成装置１は、大きく分けて、印刷処理を行う本体部２と、本体部２の後側に設けられ用紙の搬送及び切断を行う搬送切断部３と、搬送切断部３の後側に設けられ用紙を供給する図示しないロールフィーダユニットとにより構成されている。説明の都合上、以下では、本体部２側を前側、搬送切断部３側を後側とし、図２における紙面の手前側を右側、奥側を左側とし、さらに上側及び下側を定義した上で、説明する。用紙は、左右方向に沿った芯材（図示せず）の周側面を周回するように巻き付けられてロール状となっており、印刷時にその最外周から一端が引き剥がされ、後述する搬送路に沿って走行する。
【００１３】
搬送切断部３には、前後方向に沿った搬送路３Ｙが形成されており、この搬送路３Ｙに沿って、後ろから前に向かって順に用紙ガイド４、搬送ローラ対５ａ及び用紙切断部６が設けられている。用紙ガイド４は、搬送路３Ｙを搬送される用紙の上面をガイドするガイド面が形成された上側用紙ガイド４ｕと、用紙の下面をガイドするガイド面が形成された下側用紙ガイド４ｄとにより構成されている。搬送ローラ対５ａ及び搬送ローラ対５ｂは、搬送路３Ｙを上下から挟むように配置された２本の搬送ローラにより構成されており、各搬送ローラを適宜回転させることにより、前方向を搬送方向として用紙を進行させる。以下では、用紙の紙面に対し直交する厚さ方向と、搬送方向とに直交する左右方向を、搬送幅方向とも呼ぶ。
【００１４】
用紙切断部６は、固定された固定刃と回転する回転刃とにより構成され用紙を搬送しながら切断するロータリー式カッターユニットである。この用紙切断部６は、内部に用紙を切断する固定刃及び回転刃や用紙を搬送する搬送ローラ対等が組み込まれている。この用紙切断部６は、搬送方向に沿った所定の用紙長毎に用紙を裁断し、搬送ローラ対５ｂにより用紙を搬送路３Ｙに沿って搬送し、前方の本体部２内へ進行させ、搬送ローラ対５ｃに引き渡す。
【００１５】
本体部２には、前後方向に沿った搬送路２Ｙが形成されている。搬送ローラ対５ｃは、搬送路２Ｙを上下から挟むように配置された２本の搬送ローラにより構成されており、各搬送ローラを適宜回転させることにより、搬送路２Ｙに沿って用紙を前方へ搬送する。本体部２は、直方体状に形成された本体部筐体７の内部における上寄りに、画像形成部８が設けられている。画像形成部８には、３つのプロセスユニット９が前後方向に沿って整列するように配置されている。各プロセスユニット９は、図示しない制御部の制御に基づいて所定の色のトナー画像を形成し、これらを転写ベルト１０により搬送された用紙にそれぞれ転写する。転写ベルト１０は、複数のベルトローラの間に張架されて走行し、搬送路２Ｙに沿って用紙を前方へ搬送し、定着器１１に到達させる。
【００１６】
定着器１１は、搬送路２Ｙの下側及び上側にそれぞれ配置された各定着ローラをそれぞれ加熱すると共に回転させ、用紙に熱及び圧力を加えてトナー画像を定着させて、これを前方の搬送ローラ対５ｄに引き渡す。搬送ローラ対５ｄは、搬送路２Ｙを上下から挟むように配置された２本の搬送ローラにより構成されており、各搬送ローラを適宜回転させることにより、搬送路２Ｙに沿って用紙を前方へ搬送し、排出口から外部へ排出する。
【００１７】
［１−２．用紙切断部の構成］
図４及び図５に示すように用紙切断部６は、大きく分けて、主に搬送路３Ｙ（図２）の上側に配置された固定刃ユニット２８と、主に搬送路３Ｙ（図２）の下側に配置された回転刃ユニット４２とにより構成されている。固定刃ユニット２８は、回転刃ユニット４２に対し、図３に示す開閉軸２３を支点として図４及び図５に示すカバーオープン状態と図３に示すカバークローズ状態との間を遷移するように回動可能となっている。
【００１８】
用紙切断部６は、該用紙切断部６により切断動作が行われると共に本体部２により印刷動作が行われる場合には、搬送路３Ｙが外部に露出しないように開閉軸２３（図３）を支点として固定刃ユニット２８が押し下げられ搬送路３Ｙが外部から閉鎖されることにより、用紙切断部６の内部を保護するカバークローズ状態となる。一方用紙切断部６は、用紙切断部６の内部に詰まったジャム用紙がユーザにより取り除かれる等の保守作業が行われる保守作業時の場合には、搬送路３Ｙが外部に露出するように開閉軸２３（図３）を支点として固定刃ユニット２８が持ち上げられ搬送路３Ｙが外部に開放されることにより、内部の各部に対する作業を容易に行わせ得るカバーオープン状態となる。
【００１９】
用紙切断部６は、カバークローズ状態において搬送ローラ対５ｂ（図７）により用紙を搬送しつつ、回転刃４６ｂを図７中反時計回りである回転刃回転方向Ｄｒ１へ回転させることにより、該用紙の右端部側である切断開始位置Ｐｃｓ（図３）側から該用紙の切断を開始し、用紙の左端部側である切断終了位置Ｐｃｅ側で該用紙の切断を終了する。このように用紙切断部６は、用紙の右端部側である切断開始位置Ｐｃｓから左端部側である切断終了位置Ｐｃｅに向かって用紙を搬送幅方向へ沿って切断する。以下では、切断箇所ＣＰにおいて切断された用紙Ｐにおける、切断箇所ＣＰよりも搬送方向の上流側に位置する部分を、次用紙Ｐｓ（図１３）とも呼び、該次用紙Ｐｓにおける搬送方向の下流側の端部を次用紙先端Ｐｓｅ（図１３）とも呼ぶ。
【００２０】
［１−３．固定刃ユニットの構成］
図４及び図５に示すように固定刃ユニット２８は、固定刃板金３０及び固定刃部３２により構成されている。固定刃板金３０は、主に固定刃板金本体部３０ｍ及び固定刃軸支持部３０ｓにより構成されている。固定刃板金本体部３０ｍは、左右方向に延設された板状の板金である。固定刃軸支持部３０ｓは、固定刃板金本体部３０ｍの左右方向の両端部から立設している。固定刃軸支持部３０ｓには、固定刃部３２の固定刃軸３２ａが嵌め込まれる固定刃軸支持孔３０ｓｈが穿設されている。
【００２１】
固定刃部３２は、固定刃部フレーム３２ｆ、固定刃３２ｂ及び固定刃軸３２ａにより構成されている。固定刃部フレーム３２ｆは、左右方向に延設された板金であり、左右両端部において、固定刃軸３２ａが挿入される固定刃軸孔３２ｈが穿設されている。固定刃３２ｂは、金属製であり、搬送幅方向に沿って延びており、固定刃部フレーム３２ｆに固定されている。この固定刃３２ｂは、回転刃４６ｂと当接する下端部である切断箇所ＣＰ（図７）を搬送路３Ｙ上に位置させている。固定刃軸３２ａは、図３に示すように、左右方向に対し、右端部が左端部よりも後方（すなわち搬送方向上流側）に位置するように傾斜して延在する円柱形状であり、固定刃部フレーム３２ｆ（図４、図５及び図７）の固定刃軸孔３２ｈに挿入されている。このため固定刃軸３２ａは、開閉軸２３（図３）に対し傾斜している。固定刃部３２は、固定刃軸３２ａが固定刃板金３０の固定刃軸支持孔３０ｓｈに回転可能に嵌め込まれることにより、固定刃板金３０に回転可能に支持される。このように固定刃３２ｂが固定刃部フレーム３２ｆに固定されると共に固定刃部フレーム３２ｆが固定刃軸３２ａを支持するため、固定刃３２ｂは固定刃軸３２ａと共に可動する。また固定刃軸３２ａにはばね３４（図３、図５及び図７）が巻き付けられており、該ばね３４は、固定刃部３２の固定刃３２ｂを回転刃部４６の回転刃４６ｂに押し付けるように、固定刃３２ｂを回転刃４６ｂに向けて所定の付勢力で付勢している。このように固定刃３２ｂは、固定刃板金３０に対し揺動可能に支持されると共に回転刃４６ｂへ向けて付勢されることにより、用紙切断時の荷重を一定にし、長寿命化している。
【００２２】
［１−４．回転刃ユニットの構成］
図３、図４及び図５に示すように回転刃ユニット４２は、回転刃ブラケット４４及び回転刃部４６により構成されている。回転刃ブラケット４４は、板金により形成され、正面視で上方が開口する英大文字の「Ｕ」のような形状であり、回転刃軸支持部４４Ｒ、回転刃軸支持部４４Ｌ及び左右延在部４４Ｃにより構成されている。回転刃軸支持部４４Ｒは、固定刃３２ｂよりも右方向の外側において前後上下方向に延びる板状部材であり、図６に示す回転刃部４６の回転刃軸４６ａが回転可能に嵌め込まれる回転刃軸支持孔４４ｈが穿設されている。回転刃軸支持部４４Ｌは、固定刃３２ｂよりも左方向の外側において回転刃軸支持部４４Ｒと左右方向に対向して前後上下方向に延びる板状部材であり、回転刃部４６の回転刃軸４６ａが回転可能に嵌め込まれる回転刃軸支持孔４４ｈが穿設されている。左右延在部４４Ｃは、左右方向に延在し、回転刃軸支持部４４Ｒと回転刃軸支持部４４Ｌとに接続されている。
【００２３】
回転刃部４６（図６及び図７）は、回転刃軸４６ａ及び回転刃４６ｂにより構成されている。回転刃軸４６ａは、左右方向に沿って延在する略円柱形状であり、回転刃軸支持部４４Ｒ及び回転刃軸支持部４４Ｌの回転刃軸支持孔４４ｈに図８中反時計回りである回転刃回転方向Ｄｒ１へ回転可能に嵌め込まれている。回転刃４６ｂは、回転刃軸４６ａにおける回転刃軸支持部４４Ｒと回転刃軸支持部４４Ｌとの間に設けられ、搬送幅方向に沿って刃先が螺旋状に形成されており、カッタ駆動ギヤ４８から駆動力が伝達され回転することにより用紙を裁断する。
【００２４】
回転刃軸支持部４４Ｒ及び回転刃軸支持部４４Ｌには、固定刃軸３２ａが嵌まり込むよう側面視で上方が開口した嵌合溝５０Ｒ及び嵌合溝５０Ｌがそれぞれ形成されている。
【００２５】
回転刃４６ｂ（図７）の前側、下側及び後側には、搬送される用紙の下面側をガイドする上向きガイド５６が、回転刃４６ｂの回転軌跡としないように設けられている。
【００２６】
［１−４−１．回転刃の構成］
図８に示すように回転刃４６ｂは、回転軸Ａｒを中心とする半径方向の最外周部に、外周方向へ向かって突出する刃先６０が形成されている。刃先６０は、回転軸Ａｒを中心とする外周方向に沿って刃先厚さＴｅを有しており、回転刃回転方向Ｄｒ１側の端部に刃先回転方向側端部６０ａが、該回転刃回転方向Ｄｒ１とは逆回転方向である回転刃逆回転方向Ｄｒ２の端部に刃先逆回転方向側端部６０ｂが、それぞれ形成されている。なお図８においては寸法線等を見やすくするために、回転刃４６ｂのハッチングを削除している。
【００２７】
また回転刃４６ｂは、刃先６０の根元よりも回転刃逆回転方向Ｄｒ２側において、回転軸Ａｒ側へ凹む凹部６２が該刃先６０に隣接するように形成されている。凹部６２は、回転軸Ａｒを中心とする半径方向の外周側が開口する英大文字の「Ｖ」のような横断面形状であり、回転刃４６ｂにおける切断開始位置Ｐｃｓ（図３）側の端部から切断終了位置Ｐｃｅ（図３）側の端部までに亘って搬送幅方向に沿って横断面が同一形状で連続的に形成されている。
【００２８】
この凹部６２は、凹部回転方向側面６２ａ、凹部逆回転方向側面６２ｂ、凹部底角部６２ｃ及び凹部逆回転方向側外角部６２ｄが形成されている。
【００２９】
凹部回転方向側面６２ａは、凹部６２における回転刃回転方向Ｄｒ１側に形成された面であり、回転軸Ａｒを中心とする半径方向にほぼ沿って横断面が直線形状、すなわち平面形状となっている。凹部逆回転方向側面６２ｂは、凹部６２における回転刃逆回転方向Ｄｒ２側に形成された面であり、回転軸Ａｒを中心とする半径方向と直交する方向にほぼ沿って横断面が直線形状、すなわち平面形状となっている。凹部底角部６２ｃは、凹部６２において、回転軸Ａｒを中心とする半径方向の最内周側に位置しており、凹部回転方向側面６２ａにおける回転軸Ａｒを中心とする半径方向の内周側の端部と、凹部逆回転方向側面６２ｂにおける回転軸Ａｒを中心とする半径方向の内周側の端部とにより構成されており、回転軸Ａｒを中心とする半径方向の外周側が開口する角部である。凹部逆回転方向側外角部６２ｄは、凹部６２における回転刃逆回転方向Ｄｒ２側における、回転軸Ａｒを中心とする半径方向の外周側端部に位置しており、凹部逆回転方向側面６２ｂにおける回転軸Ａｒを中心とする半径方向の外周側の端部と、回転刃４６ｂにおける、該凹部逆回転方向側面６２ｂよりも回転刃逆回転方向Ｄｒ２側に隣接する外周部とにより構成される角部である。
【００３０】
［１−５．回転刃の寸法及び角度］
［１−５−１．凹部底角部刃先間長さ］
凹部底角部６２ｃの頂点から刃先６０の刃先逆回転方向側端部６０ｂまでの長さである凹部底角部刃先間長さＤ１は、図９に示す用紙撓み量Ａｄよりも短くなっている。用紙撓み量Ａｄは、用紙切断中において回転刃４６ｂの刃先６０と固定刃３２ｂの先端とにより挟持され刃先６０の刃先厚さＴｅ（図８）の分だけ堰き止められた用紙Ｐが、図９に破線で示すように、仮に堰き止められなかった場合において切断箇所ＣＰよりも搬送方向の下流側へ進行するはずであった距離である。この用紙撓み量Ａｄは、用紙Ｐの搬送速度Ｔｓと、用紙切断時に固定刃３２ｂと回転刃４６ｂとが接触する時間である刃接触時間Ｔｂとの乗算により求められる。すなわち用紙撓み量Ａｄは、搬送速度Ｓｔ×刃接触時間Ｔｂにより求められる。刃接触時間Ｔｂは、回転軸Ａｒから刃先６０の刃先回転方向側端部６０ａまでの長さである回転軸刃先間長さＤ４と回転刃４６ｂの回転速度Ｒｓとを乗算した値を刃先厚さＴｅから除算して求められる。すなわち刃接触時間Ｔｂは、刃先厚さＴｅ／（回転軸刃先間長さＤ４×回転速度Ｒｓ）により求められる。これにより用紙切断部６は、切断が完了して撓みから解放された次用紙Ｐｓ（図１３）の次用紙先端Ｐｓｅが凹部６２の凹部底角部６２ｃ（図８）へ辿り着くようにでき、次用紙Ｐｓの次用紙先端Ｐｓｅを凹部６２に引っ掛けることができる。
【００３１】
ここで、凹部底角部刃先間長さＤ１が短い程、凹部６２の内部に次用紙Ｐｓの次用紙先端Ｐｓｅが入りやすくなるものの、凹部底角部刃先間長さＤ１が短すぎると、凹部６２の内部に入り込んだ次用紙Ｐｓの次用紙先端Ｐｓｅが凹部６２の内部から抜け出しやすくなってしまう可能性がある。
【００３２】
これに対し用紙切断部６は、凹部底角部刃先間長さＤ１を用紙撓み量Ａｄよりも僅かに小さくすることにより、凹部６２の内部に次用紙Ｐｓの次用紙先端Ｐｓｅが引っ掛かるようにしつつ、凹部６２の内部に入り込んだ次用紙Ｐｓの次用紙先端Ｐｓｅが凹部６２の外部へ抜け出さないようにしている。
【００３３】
［１−５−２．凹部底角部逆回転方向側外角部間長さ］
また図８に示したように、回転軸Ａｒから凹部逆回転方向側外角部６２ｄまでの長さである回転軸逆回転方向側外角部間長さＤ３は、刃先６０が回転した際に描く軌跡である図９に示す円形状の刃先回転軌跡Ｔｒにおける半径である刃先回転軌跡半径Ｒｒよりも短くなっている（Ｄ３＜Ｒｒ）。すなわち回転軸逆回転方向側外角部間長さＤ３は回転軸刃先間長さＤ４よりも短くなっている（Ｄ３＜Ｄ４）。このため、凹部底角部６２ｃから凹部逆回転方向側外角部６２ｄまでの長さである凹部底角部逆回転方向側外角部間長さＤ２は、回転軸逆回転方向側外角部間長さＤ３＜回転軸刃先間長さＤ４を満たすように設定されている。このため凹部逆回転方向側外角部６２ｄは、刃先回転軌跡Ｔｒの外側へ突出せず内側に収まることとなる。これにより用紙切断部６は、凹部逆回転方向側外角部６２ｄが固定刃３２ｂと接触してしまうことを防止し、回転刃４６ｂにおいて、固定刃３２ｂに接触する箇所を刃先６０以外に存在しないようにできる。
【００３４】
ここで、凹部底角部逆回転方向側外角部間長さＤ２が長い程、凹部６２の内部に次用紙Ｐｓの次用紙先端Ｐｓｅが入りやすくなるものの、凹部逆回転方向側外角部６２ｄが刃先回転軌跡Ｔｒの外側へ突出してしまうと、凹部逆回転方向側外角部６２ｄが固定刃３２ｂと当接して、用紙Ｐを切断してしまう可能性がある。
【００３５】
これに対し用紙切断部６は、回転軸逆回転方向側外角部間長さＤ３が刃先回転軌跡半径Ｒｒよりも僅かに小さくなるような凹部底角部逆回転方向側外角部間長さＤ２にし、凹部逆回転方向側外角部６２ｄが刃先回転軌跡Ｔｒの内側に収まるようにすることにより、固定刃３２ｂに対し凹部逆回転方向側外角部６２ｄが接触してしまうことは防ぎつつ、可能な限り凹部底角部逆回転方向側外角部間長さＤ２を長くして、凹部６２の内部に次用紙Ｐｓの次用紙先端Ｐｓｅを引っ掛けやすくしている。
【００３６】
［１−５−３．凹部底角部角度］
ところで図１０に示すように、凹部底角部６２ｃの角度である凹部底角部角度Ａ１が仮に９０［°］よりも大きい場合、次用紙Ｐｓの次用紙先端Ｐｓｅが凹部６２の凹部底角部６２ｃに当接すると、凹部底角部６２ｃには、次用紙Ｐｓから押し当てられる力Ｆ２が発生する。力Ｆ２は、分力Ｆ２ａと分力Ｆ２ｂとに分解できる。分力Ｆ２ａは、凹部逆回転方向側面６２ｂと平行に凹部逆回転方向側外角部６２ｄへ向かって凹部６２の外側（すなわち回転軸Ａｒに対し半径方向のほぼ外周側）へと進む力である。分力Ｆ２ｂは、分力Ｆ２ａに垂直であり凹部６２の内側（すなわち回転軸Ａｒに対し半径方向の内周側）へと進む力である。このとき凹部６２の内側へと進む分力Ｆ２ｂが存在するため、次用紙Ｐｓの次用紙先端Ｐｓｅは、分力Ｆ２ａに沿って、凹部逆回転方向側外角部６２ｄへ向かって移動し、凹部６２の外側に容易に抜け出してしまう。
【００３７】
これに対し図８及び図１１に示すように、本実施の形態において凹部底角部角度Ａ１は、９０［°］以下である例えば６０［°］となっている。この場合、次用紙Ｐｓの次用紙先端Ｐｓｅが凹部６２の凹部底角部６２ｃに当接すると、凹部底角部６２ｃには、次用紙Ｐｓから押し当てられる力Ｆ１が発生する。力Ｆ１は、分力Ｆ１ａと分力Ｆ１ｂとに分解できる。分力Ｆ１ａは、凹部逆回転方向側面６２ｂと平行に凹部逆回転方向側外角部６２ｄとは逆方向へ向かって凹部６２の内側（すなわち回転軸Ａｒに対し半径方向のほぼ内周側）へと進む力である。分力Ｆ１ｂは、分力Ｆ１ａに垂直であり凹部６２の内側（すなわち回転軸Ａｒに対し半径方向の内周側）へと進む力である。このとき凹部６２の内側へと進む分力Ｆ１ｂが存在するため、次用紙Ｐｓの次用紙先端Ｐｓｅは、分力Ｆ１ａに沿って、凹部底角部６２ｃへ食い込むように回転軸Ａｒに対し半径方向の内周側へと進もうとし、凹部６２の外側に容易に抜け出さない。
【００３８】
ここで、凹部底角部角度Ａ１が小さい程、凹部６２の内部に入り込んだ次用紙Ｐｓの次用紙先端Ｐｓｅは凹部６２の内部から抜け出しにくくなるものの、凹部６２において回転軸Ａｒを中心とする半径方向の外周側の開口部における外周方向に沿った幅が狭くなってしまい、次用紙Ｐｓの次用紙先端Ｐｓｅが凹部６２の内部に入りにくくなってしまう可能性がある。
【００３９】
これに対し用紙切断部６は、凹部底角部角度Ａ１を９０［°］以下の例えば６０［°］とすることにより、次用紙Ｐｓの次用紙先端Ｐｓｅが凹部６２の内部に入らないことを防いで凹部６２で次用紙Ｐｓの次用紙先端Ｐｓｅを引っ掛けやすくしつつ、凹部６２の内部に入り込んだ次用紙Ｐｓの次用紙先端Ｐｓｅが凹部６２の外部へ抜け出さないようにしている。
【００４０】
［１−５−４．回転軸からの長さの関係］
回転軸刃先間長さＤ４は、回転軸Ａｒから凹部底角部６２ｃまでの長さである回転軸凹部底角部間長さＤ５よりも長くなっている。また回転軸逆回転方向側外角部間長さＤ３は、回転軸凹部底角部間長さＤ５よりも長くなっている。このため回転軸刃先間長さＤ４、回転軸逆回転方向側外角部間長さＤ３及び回転軸凹部底角部間長さＤ５は、回転軸刃先間長さＤ４＞回転軸逆回転方向側外角部間長さＤ３＞回転軸凹部底角部間長さＤ５という関係になっている。
【００４１】
［１−６．用紙切断動作］
かかる構成において、用紙Ｐを切断する場合、用紙切断部６は、搬送ローラ対５ｂにより用紙を搬送し、図１２に示すように回転刃４６ｂを回転刃回転方向Ｄｒ１へ回転させて回転刃４６ｂの先端と固定刃３２ｂの先端とを切断箇所ＣＰにおいて交差させ、用紙Ｐを切断する。用紙Ｐの切断中において用紙切断部６は、次用紙Ｐｓの次用紙先端Ｐｓｅを回転刃４６ｂの先端と固定刃３２ｂの先端とにより挟持して、回転刃４６ｂの刃先厚さＴｅ（図８）の分だけ、次用紙Ｐｓの移動を一時的に堰き止めることとなる。
【００４２】
用紙Ｐの切断が完了すると、用紙切断部６は、回転刃４６ｂの刃先６０を固定刃３２ｂの先端から離隔させることにより、次用紙Ｐｓの次用紙先端Ｐｓｅを解放する。用紙切断中において次用紙Ｐｓが固定刃３２ｂ側（上方向）へ撓んでいた場合、次用紙Ｐｓは、上方向への撓みが解放された瞬間に、撓んでいない通常の形状へ戻ろうとし、次用紙先端Ｐｓｅが搬送路３Ｙに対し下側である回転刃４６ｂ側へ向かって、回転刃４６ｂよりも下側へ潜り込む方向へ進行する。
【００４３】
このとき図１３に示すように、次用紙Ｐｓの次用紙先端Ｐｓｅが、回転刃４６ｂの凹部６２に入り込み、凹部底角部６２ｃに当接することにより、次用紙先端Ｐｓｅの下方向への移動が規制される。引き続き用紙切断部６が回転刃４６ｂを回転刃回転方向Ｄｒ１へ回転させると、次用紙Ｐｓは、次用紙先端Ｐｓｅが回転刃４６ｂの凹部６２に入り込んだまま、図１４に示すように該次用紙先端Ｐｓｅが上方向へ引き上げられる。これにより用紙切断部６は、次用紙Ｐｓの次用紙先端Ｐｓｅが回転刃４６ｂよりも下側へ潜り込んでしまうことを防止できる。
【００４４】
このように用紙切断部６は、回転刃４６ｂにおける刃先６０よりも回転刃逆回転方向Ｄｒ２に、横断面が断面Ｖ字形状の凹部６２を形成するようにした。これにより用紙切断部６は、下方向へ向かう次用紙Ｐｓの次用紙先端Ｐｓｅを凹部６２に引っ掛けて上方向へ引き上げて、次用紙先端Ｐｓｅの進行方向を、搬送路３Ｙよりも固定刃３２ｂ側へ向かわせることができ、回転刃４６ｂ側へ進行させないようにできる。
【００４５】
［１−７．効果等］
以上の構成において用紙切断部６は、回転刃４６ｂにおける刃先６０よりも回転刃逆回転方向Ｄｒ２に、横断面が断面Ｖ字形状の凹部６２を形成するようにした。このため用紙切断部６は、用紙Ｐの切断後に、下方向へ向かう次用紙Ｐｓの次用紙先端Ｐｓｅを凹部６２に引っ掛けて上方向へ引き上げ、次用紙Ｐｓにおける次用紙先端Ｐｓｅを固定刃３２ｂ側へ進行するように誘導できる。これにより用紙切断部６は、用紙Ｐの切断時に次用紙Ｐｓにおける次用紙先端Ｐｓｅが回転刃４６ｂ側へ向かって進行し回転刃４６ｂ側の下側に潜り込んでジャムが発生してしまうことを防止できる。
【００４６】
また用紙切断部６は、刃先６０に対し回転刃逆回転方向Ｄｒ２側に隣接する位置に凹部６２を形成するようにした。このため用紙切断部６は、刃先６０に対し回転刃逆回転方向Ｄｒ２側へ離隔した位置に凹部６２を形成する場合と比較して、切断直後で下方向へ垂れ始めた次用紙先端Ｐｓｅを確実に凹部６２で引っ掛けることができる。
【００４７】
また用紙切断部６は、回転刃４６ｂに凸部ではなく凹部６２を形成するようにしたため、用紙Ｐの切断後に、正常に上方向へ向かう次用紙Ｐｓの次用紙先端Ｐｓｅの移動経路に凸部が入り込んで用紙Ｐが搬送されにくくならないようにできる。
【００４８】
さらに用紙切断部６は、凹部底角部刃先間長さＤ１を用紙撓み量Ａｄよりも小さくした。これにより用紙切断部６は、切断が完了して撓みから解放された次用紙Ｐｓの次用紙先端Ｐｓｅが凹部６２の凹部底角部６２ｃへ辿り着くようにでき、凹部６２の内部に次用紙Ｐｓの次用紙先端Ｐｓｅを引っ掛けることができる。
【００４９】
さらに用紙切断部６は、回転軸逆回転方向側外角部間長さＤ３が刃先回転軌跡半径Ｒｒよりも小さくなるような凹部底角部逆回転方向側外角部間長さＤ２にし、凹部逆回転方向側外角部６２ｄが刃先回転軌跡Ｔｒの内側に収まるようにした。これにより用紙切断部６は、固定刃３２ｂに対し凹部逆回転方向側外角部６２ｄが接触してしまうことを防ぐことができる。
【００５０】
さらに用紙切断部６は、凹部底角部角度Ａ１を９０［°］以下とした。これにより用紙切断部６は、凹部６２の内部に入り込んだ次用紙Ｐｓの次用紙先端Ｐｓｅが凹部６２の外部へ抜け出さないようにできる。
【００５１】
さらに用紙切断部６は、搬送幅方向に沿って連続的に凹部６２を設けるようにした。このため用紙切断部６は、搬送幅方向に沿って離散的に凹部６２を設ける場合と比較して、次用紙Ｐｓの次用紙先端Ｐｓｅが離散的な凹部６２に引っかかって正常に固定刃３２ｂ側へ進行しないことを防止できる。
【００５２】
以上の構成によれば用紙切断部６は、媒体としての用紙Ｐが搬送される搬送路３Ｙに対し用紙Ｐの紙面に直交する厚さ方向の一方向側である上側に設けられた固定刃ユニット２８と、搬送路３Ｙに対し一方向側とは逆方向側である下側に設けられ、回転刃回転方向Ｄｒ１へ回転することにより固定刃ユニット２８の固定刃３２ｂと刃先を交差させて、搬送される用紙Ｐを切断する回転刃ユニット４２とを設け、回転刃ユニット４２は、刃先６０よりも回転刃回転方向Ｄｒ１の逆方向側である回転刃逆回転方向Ｄｒ２の外周部に凹部６２を形成するようにした。
【００５３】
これにより用紙切断部６は、用紙の切断後に、切断箇所ＣＰよりも搬送方向の上流側に位置する次用紙Ｐｓにおける次用紙先端Ｐｓｅが回転刃４６ｂ側へ進行した場合、該次用紙先端Ｐｓｅを凹部６２に入り込ませて引っ掛けて固定刃３２ｂ側へ進行させることができる。
【００５４】
［２．第２の実施の形態］
［２−１．画像形成装置の構成］
第２の実施の形態による画像形成装置１０１（図１）は、第１の実施の形態による画像形成装置１と比較して、用紙切断部６（図２）に代わる用紙切断部１０６を有する点において相違するものの、他の点については同様に構成されている。
【００５５】
［２−２．用紙切断部の構成］
第２の実施の形態による用紙切断部１０６（図２）は、第１の実施の形態による用紙切断部６と比較して、回転刃ユニット４２（図７）に代わる、図７と対応する部材に同一符号を付した図１５に示す回転刃ユニット１４２を有する点において相違するものの、他の点については同様に構成されている。
【００５６】
［２−３．回転刃ユニットの構成］
第２の実施の形態による回転刃ユニット１４２（図１５）は、第１の実施の形態による回転刃ユニット４２と比較して、回転刃部４６に代わる回転刃部１４６を有する点において相違するものの、他の点については同様に構成されている。第２の実施の形態による回転刃部１４６は、第１の実施の形態による回転刃部４６と比較して、回転刃４６ｂに代わる回転刃１４６ｂを有する点において相違するものの、他の点については同様に構成されている。
【００５７】
［２−３−１．回転刃の構成］
第２の実施の形態による回転刃１４６ｂは、第１の実施の形態による回転刃４６ｂと比較して、凹部６２（図７）に代わる段差部７０を有する点において相違するものの、他の点については同様に構成されている。回転刃１４６ｂは、刃先６０の根元よりも回転刃逆回転方向Ｄｒ２側に、段差部７０が形成されている。段差部７０は、凹部６２とほぼ相似形で大きさの小さい凹部１６２が、複数である例えば３個、回転軸Ａｒを中心とする外周方向に沿って並んでいる。この段差部７０は、回転刃１４６ｂにおける切断開始位置Ｐｃｓ側の端部から切断終了位置Ｐｃｅ側の端部までに亘って搬送幅方向に沿って横断面が同一形状で連続的に形成されている。
【００５８】
このように用紙切断部１０６は、回転刃１４６ｂの刃先６０の根元よりも回転刃逆回転方向Ｄｒ２側に、回転軸Ａｒを中心とする外周方向に沿う複数の凹凸である段差部７０を設けるようにした。このため用紙切断部１０６は、用紙Ｐの切断後に、下方向へ向かう次用紙Ｐｓの次用紙先端Ｐｓｅを段差部７０の何れかの凹部１６２に引っ掛けて上方向へ引き上げ、次用紙先端Ｐｓｅを固定刃３２ｂ側へ進行するように誘導できる。これにより用紙切断部１０６は、用紙Ｐの切断時に次用紙Ｐｓにおける次用紙先端Ｐｓｅが回転刃１４６ｂ側へ向かって進行し回転刃１４６ｂ側の下側に潜り込んでジャムが発生してしまうことを防止できる。
【００５９】
また用紙切断部１０６は、回転軸Ａｒを中心とする外周方向に沿って凹部１６２を複数個形成するようにしたため、刃先６０に対し回転刃逆回転方向Ｄｒ２側に最も近接する凹部１６２に次用紙Ｐｓの次用紙先端Ｐｓｅが引っ掛からなかったとしても、刃先６０に対し回転刃逆回転方向Ｄｒ２側に２番目か又は３番目かに近接する凹部１６２に次用紙Ｐｓの次用紙先端Ｐｓｅを引っ掛けることができる。
【００６０】
また回転刃１４６ｂは、金属製であり、例えば鋳造により製造される。この回転刃１４６ｂは、その製造工程において、外周面に凹凸形状が形成される場合がある。このため用紙切断部１０６は、製造上の都合により回転刃１４６ｂに形成された凹凸形状をそのまま段差部７０として用いることにより、回転刃１４６ｂに別途段差部７０を形成する必要なく、凹部１６２に次用紙Ｐｓの次用紙先端Ｐｓｅを引っ掛けることができる。
【００６１】
その他の点においても、第２の実施の形態による画像形成装置１０１は、第１の実施の形態による画像形成装置１と同様の作用効果を奏し得る。
【００６２】
［３．第３の実施の形態］
［３−１．画像形成装置の構成］
第３の実施の形態による画像形成装置２０１（図１）は、第１の実施の形態による画像形成装置１と比較して、用紙切断部６（図２）に代わる用紙切断部２０６を有する点において相違するものの、他の点については同様に構成されている。
【００６３】
［３−２．用紙切断部の構成］
第３の実施の形態による用紙切断部２０６（図２）は、第１の実施の形態による用紙切断部６と比較して、回転刃ユニット４２（図７）に代わる、図７と対応する部材に同一符号を付した図１６に示す回転刃ユニット２４２を有する点において相違するものの、他の点については同様に構成されている。
【００６４】
［３−３．回転刃ユニットの構成］
第３の実施の形態による回転刃ユニット２４２（図１６）は、第１の実施の形態による回転刃ユニット４２と比較して、回転刃部４６に代わる回転刃部２４６を有する点において相違するものの、他の点については同様に構成されている。第２の実施の形態による回転刃部２４６は、第１の実施の形態による回転刃部４６と比較して、回転刃４６ｂに代わる回転刃２４６ｂを有する点において相違するものの、他の点については同様に構成されている。
【００６５】
［３−３−１．回転刃の構成］
第３の実施の形態による回転刃２４６ｂは、第１の実施の形態による回転刃４６ｂと比較して、凹部６２（図７）に代わる１個の突起部７２を有する点において相違するものの、他の点については同様に構成されている。回転刃２４６ｂは、刃先６０の根元よりも回転刃逆回転方向Ｄｒ２側に、回転軸Ａｒを中心とする外周側へ突出する突起部７２が形成されている。突起部７２は、回転刃２４６ｂにおける切断開始位置Ｐｃｓ側の端部から切断終了位置Ｐｃｅ側の端部までに亘って、刃先６０と平行に搬送幅方向に沿って横断面が同一形状で連続的に形成されている。このため回転刃２４６ｂは、刃先６０と突起部７２との間に、該刃先６０の先端と該突起部７２の先端とよりも回転軸Ａｒ側へ凹む凹部としての溝部７４が形成されている。
【００６６】
このように用紙切断部２０６は、回転刃２４６ｂの刃先６０の根元よりも回転刃逆回転方向Ｄｒ２側に、回転軸Ａｒを中心とする外周側へ突出する突起部７２を設けることにより、刃先６０と突起部７２との間に溝部７４を形成するようにした。このため用紙切断部２０６は、用紙Ｐの切断後に、下方向へ向かう次用紙Ｐｓの次用紙先端Ｐｓｅを溝部７４に引っ掛けて上方向へ引き上げ、次用紙Ｐｓにおける次用紙先端Ｐｓｅを固定刃３２ｂ側へ進行するように誘導できる。これにより用紙切断部２０６は、用紙Ｐの切断時に次用紙Ｐｓにおける次用紙先端Ｐｓｅが回転刃２４６ｂ側へ向かって進行し回転刃２４６ｂ側の下側に潜り込んでジャムが発生してしまうことを防止できる。
【００６７】
その他の点においても、第３の実施の形態による画像形成装置２０１は、第１の実施の形態による画像形成装置１と同様の作用効果を奏し得る。
【００６８】
［４．他の実施の形態］
なお上述した第１の実施の形態においては、回転刃４６ｂにおける切断開始位置Ｐｃｓ側の端部から切断終了位置Ｐｃｅ側の端部までに亘って搬送幅方向に沿って連続的に凹部６２を形成する場合について述べた。本発明はこれに限らず、搬送幅方向に関し切断開始位置Ｐｃｓ側の半分程度の範囲のみに凹部６２を形成しても良い。第２及び第３の実施の形態についても同様である。
【００６９】
ここで、切断された用紙は、切断終了位置Ｐｃｅ側からではなく切断開始位置Ｐｃｓ側から、回転刃４６ｂ側へ垂れ始めることとなる。このため用紙切断部６は、切断終了位置Ｐｃｅ側には凹部６２を設けなくても、回転刃４６ｂ側へ垂れ始める、次用紙Ｐｓの切断開始位置Ｐｃｓ側の端部を固定刃３２ｂ側へ進行させることができる。
【００７０】
また、画像形成装置１において取り扱われる用紙が複数種類である場合、これら複数種類の用紙は、互いに異なる搬送幅方向の幅であることがある。そのような場合において、用紙の搬送幅方向の中央部を、搬送路３Ｙにおける搬送幅方向の中央部や右端部に合わせるように搬送すると、互いに異なる搬送幅方向の幅を有する複数種類の用紙は、切断箇所ＣＰにおいて切断され始める搬送幅方向の位置が互いに異なることとなる。
【００７１】
このため用紙切断部６は、画像形成装置１において取り扱われる、互いに異なる搬送幅方向の幅を有する複数種類の全ての用紙における、切断開始位置Ｐｃｓ側の端部を含む範囲に亘って凹部６２を設けることが好ましい。これにより用紙切断部６は、互いに異なる搬送幅方向の幅を有する様々な種類の用紙に対し、次用紙先端Ｐｓｅが搬送路３Ｙから回転刃４６ｂ側へ垂れてしまうことを防止できる。また、画像形成装置１において取り扱われる用紙が単一のサイズの用紙であれば、その用紙の切断開始位置Ｐｃｓ側の端部のみを含むようの搬送幅方向の長さを短くしても良い。第２及び第３の実施の形態についても同様である。
【００７２】
さらに上述した第１の実施の形態においては、搬送幅方向に沿って連続的に凹部６２を設ける場合について述べた。本発明はこれに限らず、搬送幅方向に沿って離散的に凹部６２を設けても良い。第２及び第３の実施の形態についても同様である。
【００７３】
さらに上述した第１の実施の形態においては、回転刃４６ｂにおける切断開始位置Ｐｃｓ側の端部から切断終了位置Ｐｃｅ側の端部までに亘って搬送幅方向に沿って横断面が同一形状の凹部６２を形成する場合について述べた。本発明はこれに限らず、凹部６２の横断面の形状は、搬送幅方向に沿って同一形状でなくても良い。第２及び第３の実施の形態についても同様である。
【００７４】
また上述した第１の実施の形態においては、凹部底角部角度Ａ１を９０［°］以下にする場合について述べた。本発明はこれに限らず、凹部底角部角度Ａ１が９０［°］よりも大きい場合であっても、次用紙先端Ｐｓｅが凹部逆回転方向側面６２ｂに当接した際に次用紙Ｐｓの搬送方向下流側の部分と凹部逆回転方向側面６２ｂとが成す角度のうち回転刃逆回転方向Ｄｒ２側の角度が９０［°］以下であれば良い。この場合、次用紙Ｐｓの次用紙先端Ｐｓｅが凹部６２の凹部逆回転方向側面６２ｂに当接すると、次用紙Ｐｓは、凹部底角部６２ｃへ食い込むように回転軸Ａｒに対し半径方向の内周側へと進もうとし、凹部６２の外側に容易に抜け出さないようになる。
【００７５】
さらに上述した第１の実施の形態において、凹部逆回転方向側外角部６２ｄを丸めたり面取りをしたりしても良い。その場合、凹部６２に引っ掛けて上方向へ引き上げた次用紙Ｐｓの次用紙先端Ｐｓｅを該凹部６２から抜けやすくできる。
【００７６】
さらに上述した第２の実施の形態においては、３個の凹部１６２により段差部７０を形成する場合について述べた。本発明はこれに限らず、任意の個数の凹部１６２により段差部７０を形成しても良い。
【００７７】
さらに上述した第３の実施の形態においては、１個の突起部７２と１個の溝部７４とを設ける場合について述べた。本発明はこれに限らず、任意の個数の突起部７２により任意の個数の溝部７４を設けても良い。
【００７８】
さらに上述した第１の実施の形態においては、搬送路３Ｙの上側及び下側にそれぞれ固定刃ユニット２８及び回転刃ユニット４２が配置された用紙切断部６に本発明を適用する場合について述べた。本発明はこれに限らず、搬送路３Ｙの上側及び下側にそれぞれ回転刃ユニット及び固定刃ユニットが設けられた用紙切断部や、例えば鉛直方向に沿って延びる搬送路の前側及び後側にそれぞれ回転刃ユニット及び固定刃ユニットが設けられた用紙切断部に本発明を適用しても良い。第２及び第３の実施の形態についても同様である。
【００７９】
さらに上述した実施の形態においては、ロール状の用紙を切断する用紙切断部６、１０６又は２０６に本発明を適用する場合について述べた。本発明はこれに限らず、カット済のカット紙等を切断する用紙切断部に本発明を適用しても良い。
【００８０】
さらに上述した実施の形態においては、画像形成部８よりも搬送方向上流側に用紙切断部６、１０６又は２０６を設ける場合について述べた。本発明はこれに限らず、画像形成部８よりも搬送方向下流側に用紙切断部６、１０６又は２０６を設けても良い。
【００８１】
さらに上述した実施の形態においては、直接転写方式の画像形成装置１、１０１又は２０１に本発明を適用する場合について述べた。本発明はこれに限らず、中間転写ベルト上に１次転写されたトナー画像を用紙に２次転写する中間転写方式等、種々の方式のプリンタに本発明を適用しても良い。
【００８２】
さらに上述した実施の形態においては、３つのプロセスユニット９を用いる画像形成装置１、１０１又は２０１に本発明を適用する場合について述べた。本発明はこれに限らず、１つのプロセスユニットを用いる単色画像形成装置や、２つ又は４つ以上の任意の個数のプロセスユニットを用いる画像形成装置に本発明を適用しても良い。
【００８３】
さらに上述した実施の形態においては、電子写真方式のプリンタである画像形成装置１、１０１又は２０１に設けられた用紙切断部６、１０６又は２０６に本発明を適用する場合について述べた。本発明はこれに限らず、ＭＦＰ（MultiFunction Printer：複合機）、複写機、自動原稿読み取り装置等に含まれる画像形成装置に設けられた用紙切断部にも本発明を適用して良い。
【００８４】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【００８５】
さらに上述した第１の実施の形態においては、固定刃としての固定刃ユニット２８と、回転刃としての回転刃ユニット４２とによって、媒体切断装置としての用紙切断部６を構成する場合について述べた。本発明はこれに限らず、その他種々の構成でなる固定刃と、回転刃とによって、媒体切断装置を構成しても良い。
【産業上の利用可能性】
【００８６】
本発明は、用紙を切断する種々の機器でも利用できる。
【符号の説明】
【００８７】
１、１０１、２０１……画像形成装置、２……本体部、２Ｙ……搬送路、３……搬送切断部、３Ｙ……搬送路、４……用紙ガイド、４ｕ……上側用紙ガイド、４ｄ……下側用紙ガイド、５ａ、５ｂ、５ｃ、５ｄ……搬送ローラ対、６、１０６、２０６、１００６……用紙切断部、７……本体部筐体、８……画像形成部、９……プロセスユニット、１０……転写ベルト、１１……定着器、２８……固定刃ユニット、３０……固定刃板金、３０ｍ……固定刃板金本体部、３０ｓ……固定刃軸支持部、３２……固定刃部、３２ｆ……固定刃部フレーム、３２ａ……固定刃軸、３２ｈ……固定刃軸孔、３４……ばね、４２、１４２……回転刃ユニット、４４……回転刃ブラケット、４４Ｒ、４４Ｌ……回転刃軸支持部、４４Ｃ……左右延在部、４４ｈ……回転刃軸支持孔、４６、１４６、２４６……回転刃部、４６ａ……回転刃軸、４６ｂ、１４６ｂ、２４６ｂ、１０４６ｂ……回転刃、４８……カッタ駆動ギヤ、５０Ｒ、５０Ｌ……嵌合溝、５６……上向きガイド、Ａｒ……回転軸、６０……刃先、６０ａ……刃先回転方向側端部、６０ｂ……刃先逆回転方向側端部、６２……凹部、６２ａ……凹部回転方向側面、６２ｂ……凹部逆回転方向側面、６２ｃ……凹部底角部、６２ｄ……凹部逆回転方向側外角部、７０……段差部、７２……突起部、７４……溝部、Ｄ１……凹部底角部刃先間長さ、Ａｄ……用紙撓み量、Ｄ２……凹部底角部逆回転方向側外角部間長さ、Ｄ３……回転軸逆回転方向側外角部間長さ、Ｄ４……回転軸刃先間長さ、Ｄ５……回転軸凹部底角部間長さ、Ｒｒ……刃先回転軌跡半径、Ｔｒ……刃先回転軌跡、Ａ１……凹部底角部角度、Ｔｅ……刃先厚さ、Ｆ１、Ｆ２……力、Ｆ１ａ、Ｆ１ｂ、Ｆ２ａ、Ｆ２ｂ……分力、Ｐｃｓ……切断開始位置、Ｐｃｅ……切断終了位置、Ｄｒ１……回転刃回転方向、Ｄｒ２……回転刃逆回転方向、ＣＰ……切断箇所、Ｐ……用紙、Ｐｓ……次用紙、Ｐｓｅ……次用紙先端。
【図１】
2020131373.tif 000003
【図２】
2020131373.tif 000004
【図３】
2020131373.tif 000005
【図４】
2020131373.tif 000006
【図５】
2020131373.tif 000007
【図６】
2020131373.tif 000008
【図７】
2020131373.tif 000009
【図８】
2020131373.tif 000010
【図９】
2020131373.tif 000011
【図１０】
2020131373.tif 000012
【図１１】
2020131373.tif 000013
【図１２】
2020131373.tif 000014
【図１３】
2020131373.tif 000015
【図１４】
2020131373.tif 000016
【図１５】
2020131373.tif 000017
【図１６】
2020131373.tif 000018
【図１７】
2020131373.tif 000019
【図１８】
2020131373.tif 000020